(57)【要約】      （修正有）【課題】上下左右に視域のある立体被写体像に加えて特定の角度でのみで観察可能な平面付加情報パターンが観察可能なリップマンホログラムを用いた真贋判定ホログラムを提供。【解決手段】立体被写体像を再生するホログラムと、付加情報に対応するパターン部に形成され一定間隔で平行に積層されてなる平面干渉縞からなるホログラムミラーパターンとを重畳記録する。【選択図】図５
2011076076.tif 000002
【特許請求の範囲】
【請求項１】
立体被写体像を再生するホログラムと、付加情報に対応するパターン部に形成され一定間隔で平行に積層されてなる平面干渉縞からなるホログラムミラーパターンとが重畳記録されてなることを特徴とする真贋判定ホログラム。
【請求項２】
前記立体被写体像の視域が前記ホログラムミラーパターンの視域より広く、前記ホログラムミラーパターンの輝度が前記立体被写体像の輝度より高いことを特徴とする請求項１記載の真贋判定ホログラム。
【請求項３】
前記立体被写体像及び前記ホログラムミラーパターンが少なくとも一方が２波長以上のカラー像として観察可能であることを特徴とする請求項１又は２記載の真贋判定ホログラム。
【請求項４】
前記ホログラムミラーパターンの視域が波長毎に異なることを特徴とする請求項３記載の真贋判定ホログラム。
【請求項５】
付加情報のパターン部が不透明にされた透明フィルムからなるマスク板を第１のホログラム記録材料に重ね、前記透明フィルム面から前記第１のホログラム記録材料に向けて紫外線を照射して前記パターン部に対応する部分以外を不活性にさせた前記第１のホログラム記録材料に対して表面と裏面から可干渉光を入射させて前記第１のホログラム記録材料の活性部にホログラムミラーパターンを形成してホログラムミラーパターン原版とし、立体被写体からの散乱反射光と第１参照光の干渉縞を記録した１段目のホログラムに対して、再生照明光を照射して回折光を生じさせて前記の立体被写体の再生像を再生させ、前記再生像近傍に配置した２段目のホログラム記録材料に対して前記回折光と第２参照光を同時に入射させて２段目のホログラムを作製し、前記２段目のホログラムを立体被写体ホログラム原版とし、前記ホログラムミラーパターン原版と前記立体被写体ホログラム原版とを密着させ、その上側又は下側に別のホログラム記録材料を配置し、前記別のホログラム記録材料側から照明光を照射し、前記ホログラムミラーパターン原版及び前記立体被写体ホログラム原版からの回折光と入射させた前記照明光とを前記別のホログラム記録材料中で干渉させて作製することを特徴とする真贋判定ホログラム作製方法。
【請求項６】
前記ホログラムミラーパターン原版、前記立体被写体ホログラム原版の少なくとも一方を異なる２つ以上の波長の光を用いて作製し、前記別のホログラム記録材料側から照明する照明光として同様に異なる２つ以上の波長の光を同時にあるいは別々に照射して前記別のホログラム記録材料中で干渉させて作製することを特徴とする請求項５記載の真贋判定ホログラム作製方法。
【請求項７】
立体被写体からの散乱反射光と第１参照光の干渉縞を記録した１段目のホログラムに対して、再生照明光を照射して回折光を生じさせて前記の立体被写体の再生像を再生させ、前記再生像近傍に配置した２段目のホログラム記録材料に対して前記回折光と第２参照光を同時に入射させて２段目のホログラムを作製し、前記２段目のホログラムを立体被写体ホログラム原版とし、透明フィルムに付加情報のパターン部が一定ピッチの回折格子が形成されてなる回折格子パターン原版を用い、前記回折格子パターン原版と前記立体被写体ホログラム原版とを密着させ、その上側又は下側に別のホログラム記録材料を配置し、前記別のホログラム記録材料側から照明光を照射し、前記回折格子パターン原版及び前記立体被写体ホログラム原版からの回折光と入射させた前記照明光とを前記別のホログラム記録材料中で干渉させて作製することを特徴とする真贋判定ホログラム作製方法。
【請求項８】
前記立体被写体ホログラム原版を異なる２つ以上の波長の光を用いて作製し、前記別のホ
ログラム記録材料側から照明する照明光として同様に異なる２つ以上の波長の光を同時にあるいは別々に照射して前記別のホログラム記録材料中で干渉させて作製することを特徴とする請求項７記載の真贋判定ホログラム作製方法。
【請求項９】
立体被写体からの散乱反射光及び付加情報に対応する断面パターンを持った平行光と第１参照光との干渉縞を記録した１段目のホログラムに対して、再生照明光を照射して回折光を生じさせて前記の立体被写体の再生像及び前記付加情報に対応する断面パターンを持った平行光を再生させ、前記再生像近傍に配置した２段目のホログラム記録材料に対して前記回折光と第２参照光を同時に入射させて２段目のホログラムを作製し、前記２段目のホログラムを立体被写体ホログラム原版とし、前記立体被写体ホログラム原版に対して別のホログラム記録材料を配置し、前記別のホログラム記録材料側から照明光を照射し、前記立体被写体ホログラム原版からの回折光と入射させた前記照明光とを前記別のホログラム記録材料中で干渉させて作製することを特徴とする真贋判定ホログラム作製方法。
【請求項１０】
前記立体被写体ホログラム原版を異なる２つ以上の波長の光を用いて作製し、前記別のホログラム記録材料側から照明する照明光として同様に異なる２つ以上の波長の光を同時にあるいは別々に照射して前記別のホログラム記録材料中で干渉させて作製することを特徴とする請求項９記載の真贋判定ホログラム作製方法。
【発明の詳細な説明】
【技術分野】
【０００１】
本発明は、真贋判定ホログラム及びその作製方法に係り、特にリップマンホログラムを用いた真贋判定ホログラムとその作製方法に関する。
【背景技術】
【０００２】
クレジットカード、キャッシュカード等のカード類、金券類、身分証明書、重要書類等のような認証と共に偽造防止を必要とする物品に対して、従来から各種の偽造防止手段が図られている。例えば、クレジットカードにおいては、金属反射層を有するレリーフホログラムからなるレインボーホログラムが、目視によるカードの真贋判定のための認証構造としてカードの表面に設けられている。しかしながら、レリーフホログラムは材料の入手しやすさ、大量複製技術が確立されている等の理由により偽造されやすく、真贋判定が容易でない場合があった。
【０００３】
そこで、レリーフホログラムとの差別化が可能なホログラムとしてリップマンホログラムが用いられており、付加情報の付いたリップマンホログラムを作製することで、容易に偽造品との判別が可能となることが特許文献１等に記載されている。
【先行技術文献】
【特許文献】
【０００４】
【特許文献１】特開２００５−４９６７５号公報
【特許文献２】特開平６−２４１８８８号公報
【発明の概要】
【発明が解決しようとする課題】
【０００５】
特許文献１の従来の方法においては、付加情報の付いた透明保護シートを使用して付加情報の付いたリップマンホログラムが作製されている。しかしながら、立体被写体と付加情報の再生像の見え方に差異がほとんどなく、より容易に立体被写体と付加情報を区別して認識できるホログラムが求められていた。
【０００６】
すなわち、本発明の目的は、リップマンホログラムを用いた真贋判定ホログラムにおいて、上下左右に視域のある立体被写体像に加えて特定の角度でのみで観察可能な平面付加情報パターンが観察可能な真贋判定ホログラムとその作製方法を提供することである。
【課題を解決するための手段】
【０００７】
上記目的を達成する本発明の真贋判定ホログラムは、立体被写体像を再生するホログラムと、付加情報に対応するパターン部に形成され一定間隔で平行に積層されてなる平面干渉縞からなるホログラムミラーパターンとが重畳記録されてなることを特徴とするものである。
【０００８】
この場合、前記立体被写体像の視域が前記ホログラムミラーパターンの視域より広く、前記ホログラムミラーパターンの輝度が前記立体被写体像の輝度より高いことが望ましい。
【０００９】
また、前記立体被写体像及び前記ホログラムミラーパターンが少なくとも一方が２波長以上のカラー像として観察可能とすることができる。
【００１０】
この場合に、前記ホログラムミラーパターンの視域が波長毎に異なるようにすることも
できる。
【００１１】
本発明の真贋判定ホログラムの作製方法は、付加情報のパターン部が不透明にされた透明フィルムからなるマスク板を第１のホログラム記録材料に重ね、前記透明フィルム面から前記第１のホログラム記録材料に向けて紫外線を照射して前記パターン部に対応する部分以外を不活性にさせた前記第１のホログラム記録材料に対して表面と裏面から可干渉光を入射させて前記第１のホログラム記録材料の活性部にホログラムミラーパターンを形成してホログラムミラーパターン原版とし、立体被写体からの散乱反射光と第１参照光の干渉縞を記録した１段目のホログラムに対して、再生照明光を照射して回折光を生じさせて前記の立体被写体の再生像を再生させ、前記再生像近傍に配置した２段目のホログラム記録材料に対して前記回折光と第２参照光を同時に入射させて２段目のホログラムを作製し、前記２段目のホログラムを立体被写体ホログラム原版とし、前記ホログラムミラーパターン原版と前記立体被写体ホログラム原版とを密着させ、その上側又は下側に別のホログラム記録材料を配置し、前記別のホログラム記録材料側から照明光を照射し、前記ホログラムミラーパターン原版及び前記立体被写体ホログラム原版からの回折光と入射させた前記照明光とを前記別のホログラム記録材料中で干渉させて作製することを特徴とする方法である。
【００１２】
この場合に、前記ホログラムミラーパターン原版、前記立体被写体ホログラム原版の少なくとも一方を異なる２つ以上の波長の光を用いて作製し、前記別のホログラム記録材料側から照明する照明光として同様に異なる２つ以上の波長の光を同時にあるいは別々に照射して前記別のホログラム記録材料中で干渉させて作製することもできる。
【００１３】
本発明のもう１つの真贋判定ホログラムの作製方法は、立体被写体からの散乱反射光と第１参照光の干渉縞を記録した１段目のホログラムに対して、再生照明光を照射して回折光を生じさせて前記の立体被写体の再生像を再生させ、前記再生像近傍に配置した２段目のホログラム記録材料に対して前記回折光と第２参照光を同時に入射させて２段目のホログラムを作製し、前記２段目のホログラムを立体被写体ホログラム原版とし、透明フィルムに付加情報のパターン部が一定ピッチの回折格子が形成されてなる回折格子パターン原版を用い、前記回折格子パターン原版と前記立体被写体ホログラム原版とを密着させ、その上側又は下側に別のホログラム記録材料を配置し、前記別のホログラム記録材料側から照明光を照射し、前記回折格子パターン原版及び前記立体被写体ホログラム原版からの回折光と入射させた前記照明光とを前記別のホログラム記録材料中で干渉させて作製することを特徴とする方法である。
【００１４】
この場合に、前記立体被写体ホログラム原版を異なる２つ以上の波長の光を用いて作製し、前記別のホログラム記録材料側から照明する照明光として同様に異なる２つ以上の波長の光を同時にあるいは別々に照射して前記別のホログラム記録材料中で干渉させて作製することもできる。
【００１５】
本発明のさらにもう１つの真贋判定ホログラムの作製方法は、立体被写体からの散乱反射光及び付加情報に対応する断面パターンを持った平行光と第１参照光との干渉縞を記録した１段目のホログラムに対して、再生照明光を照射して回折光を生じさせて前記の立体被写体の再生像及び前記付加情報に対応する断面パターンを持った平行光を再生させ、前記再生像近傍に配置した２段目のホログラム記録材料に対して前記回折光と第２参照光を同時に入射させて２段目のホログラムを作製し、前記２段目のホログラムを立体被写体ホログラム原版とし、前記立体被写体ホログラム原版に対して別のホログラム記録材料を配置し、前記別のホログラム記録材料側から照明光を照射し、前記立体被写体ホログラム原版からの回折光と入射させた前記照明光とを前記別のホログラム記録材料中で干渉させて作製することを特徴とする方法である。
【００１６】
この場合に、前記立体被写体ホログラム原版を異なる２つ以上の波長の光を用いて作製し、前記別のホログラム記録材料側から照明する照明光として同様に異なる２つ以上の波長の光を同時にあるいは別々に照射して前記別のホログラム記録材料中で干渉させて作製することもできる。
【発明の効果】
【００１７】
本発明の真贋判定ホログラムによると、従来の真贋判定ホログラムに比べて、リップマンホログラムの上下左右に視域があるという特性を活かしつつ、特定の角度でのみ付加情報を観察することができ、どの情報が付加情報に相当するのかが分かりやすく、誰でも容易に真贋判定を行うことができる。
【図面の簡単な説明】
【００１８】
【図１】本発明の１実施例の真贋判定ホログラムの作製方法においてホログラムミラーパターンを記録したホログラム原版を作製するための前処理工程を示す図である。
【図２】図１の工程後の体積ホログラム記録材料中に平面の干渉縞を形成する工程を示す図である。
【図３】２ステップ法により立体被写体を使用して体積ホログラムを作製する場合の１段目のホログラムを作製する際の撮影配置を示す図である。
【図４】図３による１段目のホログラムを用いて２段目のホログラムを作製する際の撮影配置を示す図である。
【図５】ホログラムミラーパターン原版と立体被写体ホログラム原版を重ね合わせて真贋判定ホログラムを作製する際の撮影配置を示す図である。
【図６】別の実施例の２ステップ法により立体被写体とマスク板とを使用して体積ホログラムを作製する場合の１段目のホログラムを作製する際の撮影配置を示す図である。
【図７】図６による１段目のホログラムを用いて２段目のホログラムを作製する際の撮影配置を示す図である。
【図８】ホログラムミラーパターンが記録された立体被写体ホログラム原版を用いて真贋判定ホログラムを作製する際の撮影配置を示す図である。
【図９】本発明のさらに別の実施例の真贋判定ホログラムの作製方法において用いる回折格子パターン原版を示す図である。
【図１０】ホログラムミラーパターン原版と回折格子パターン原版と立体被写体ホログラム原版とを重ね合わせて真贋判定ホログラムを作製する際の撮影配置を示す図である。
【図１１】本発明の作製方法により作製した真贋判定ホログラムに対して再生照明光の入射角度を上下方向に変化させて正面から観察した場合の各再生像の輝度各々を規格化して示す図である。
【図１２】図１１の各再生像の輝度を規格化せずに対比して示す図である。
【図１３】輝度差弁別閾を示す図である。
【図１４】図１２の場合に条件式（１）を満足する範囲を示す図である。
【発明を実施するための形態】
【００１９】
本発明の真贋判定ホログラムは、立体被写体を記録したホログラム原版と、ホログラムミラーパターンを記録したホログラム原版又は回折格子パターンからなる付加情報を形成した原版とを重畳してホログラム複製法により体積ホログラム記録材料中に立体被写体の体積ホログラムとホログラムミラーパターンとを重畳記録したものである。
【００２０】
以下に、実施例に基づいて本発明の真贋判定ホログラムを説明する。
【００２１】
図１は、ホログラムミラーパターンを記録したホログラム原版を作製するための前処理
工程を示す図であり、フォトポリマー等の第１の体積ホログラム記録材料１１に、文字や絵柄の付加情報２２、この実施例の場合、四隅の“Ｘ”、“Ｘ”、“Ｘ”、“Ｘ”部分が印刷等で不透明に形成された透明フィルムからなるマスク板２１を重ねてマスク板２１側から紫外線２３を照射して、第１の体積ホログラム記録材料１１の付加情報２２に対応するパターン部分以外の領域を不活性にする。
【００２２】
図２は、図１の工程を経て付加情報２２に対応するパターン部分のみが活性領域として残っている第１の体積ホログラム記録材料１１’中に平面の干渉縞を形成する工程を示す図であり、体積ホログラム記録材料１１’の一方の面側から特定の方位角（図では上方）で所定の入射角θで参照光２５を、同時に他方の面側から任意の入射角で照明光２６を入射させて干渉させ、体積ホログラム記録材料１１’中の付加情報２２に対応するパターン部分（活性領域中）に一定間隔で平行に積層された形状の平面の干渉縞を形成する。露光後の体積ホログラム記録材料１１’を後処理として加熱、紫外線照射を行い、ホログラムミラーパターン原版１１”を作製する。なお、この平面の干渉縞は参照光２５と照明光２６を含む平面に垂直で参照光２５と照明光２６の二等分線を含む平面からなり、ホログラムミラーと呼ばれる。
【００２３】
図３は、２ステップ法により立体被写体Ｏを使用して体積ホログラム（リップマンホログラム）を作製する場合の１段目のホログラム（以下、Ｈ１ホログラムと呼ぶ。）を作製する際の撮影配置を示す図である。Ｈ１ホログラム記録材料として、この実施例の場合、フォトポリマーに比べて感度が高い銀塩材料からなるホログラム記録材料３１を用い、まず、ホログラム記録材料３１に記録する立体被写体Ｏに面してそのホログラム記録材料３１を配置する。立体被写体Ｏを所定波長の照明光３２で照明して立体被写体Ｏからの散乱反射光を物体光３３としてホログラム記録材料３１に入射させると共に、ホログラム記録材料３１の同じ面に物体光３３と可干渉な同一光源からの平行光からなる参照光３４を同時に入射させて干渉させることで、Ｈ１ホログラム記録材料３１に立体被写体Ｏのホログラムを露光する。以上のようにＨ１ホログラムが露光されたホログラム記録材料３１を現像、漂白してＨ１ホログラム３１’を作製する。
【００２４】
次いで、図４に示すように、このＨ１ホログラム３１’に記録のときの参照光３４と反対に進む照明光３５を、Ｈ１ホログラム３１’記録時の参照光３４が入射する側とは反対側から入射させると、Ｈ１ホログラム３１’の面に対して記録のときの立体被写体Ｏの相対位置と同じ位置に回折光３６により立体被写体Ｏの再生像Ｏ’が再生結像される。立体被写体Ｏの再生像Ｏ’が結像される位置近傍に体積ホログラム記録材料からなる２段目のホログラム（以下、Ｈ２ホログラムと呼ぶ。）記録材料４１を配置し、照明光３５と可干渉な同一光源からの平行光からなる参照光４２を回折光３６と反対側から所定の入射角θで同時に入射させ、ホログラム記録材料４１中に２段目のＨ２ホログラムを露光する。この実施例においては、２段目のホログラム記録材料４１としてフォトポリマーを用いており、露光後のホログラム記録材料４１を後処理として加熱、紫外線照射を行い、Ｈ２ホログラム４１’を作製する。なお、２段目のホログラム記録材料４１に入射させる参照光４２の入射角θは、図２の場合の参照光２５の入射角θと同じであることが望ましい。図４の工程を経て作製されたＨ２ホログラム４１’を立体被写体ホログラム原版４１’と呼ぶ。
【００２５】
図５は、図２の工程を経て作製されたホログラムミラーパターン原版１１”と、図４の工程を経て作製された立体被写体ホログラム原版４１’を重ね合わせて真贋判定ホログラムを作製する際の撮影配置を示す図である。付加情報２２に対応する形状（外形）のホログラムミラーパターンが記録されたホログラムミラーパターン原版１１”と立体被写体Ｏを記録した立体被写体ホログラム原版４１’とをインデックスマッチング液を介在させることにより密着させ、その上側に体積ホログラム記録材料５１を密着あるいは近接させて
配置する。その際、図２での参照光２５を入射させる方向の方位角方向と図４の参照光４２を入射させる方向の方位角方向が一致するように位置合わせて両原版１１”、４１’を重ね合わせることが望ましく、重ね合わせ順序は原版１１”が上側（体積ホログラム記録材料５１側）でも原版４１’が上側でもよい（図の場合は原版１１”が上側）。この状態で、体積ホログラム記録材料５１側から、参照光２５、参照光４２の入射角と同一の入射角θで参照光２５、参照光４２と反対に進む照明光５２を照射して、ホログラムミラーパターン原版１１”から回折される照明光２６と反対に進む回折光と、立体被写体ホログラム原版４１’から回折される物体光３３と反対に進む回折光とを入射光の照明光５２と体積ホログラム記録材料５１中で干渉させて、後処理として加熱、紫外線照射を行い、本発明に基づく真贋判定ホログラムが完成する。
【００２６】
このようにして体積ホログラム記録材料５１中に記録された本発明の真贋判定ホログラムは、立体被写体Ｏを上下左右の広い視域で観察可能なものであり、それに加えて、図２のホログラムミラーパターン原版１１”と同様に、付加情報２２に対応する“Ｘ”、“Ｘ”、“Ｘ”、“Ｘ”の文字部分のみに平面の干渉縞が相互に厚さ方向に一定間隔で平行に並んで構成されたホログラムミラーが記録され、そのホログラムミラーの外縁が文字パターンを形成しているものである。このホログラムミラーパターンは、外光で照明したとき、所定方向にのみに外光を回折により強く反射するものであり、このホログラムミラーパターンの視域は立体被写体Ｏの視域に比べて狭く、その代わりに、立体被写体Ｏの再生像に比べて輝度はずっと大きなものとなる。そのため、照明光の下で本発明の真贋判定ホログラムを連続的に傾けて行くと、ある位置、すなわち、ホログラムミラーパターンが観察者に対して所定方向になった位置で一瞬明るくキラリと光り、次の傾き角では最早反射条件を満足しないため、立体被写体Ｏの像しか見えないものとなる。
【００２７】
そのため、本発明による真贋判定ホログラムは、再生される立体被写体の像を観察しつつ傾き角を連続的に変えることで、一瞬明るく所定の付加情報パターンがホログラム面に見えるか否かで、誰でも容易に真贋判定を行うことができる。
【００２８】
図１〜図５のような作製方法で得られた本発明の真贋判定ホログラムと同様の真贋判定ホログラムを２ステップ法で作製する別の実施例を図６〜図８を参照にして説明する。
【００２９】
図６は、この別の実施例の２ステップ法により立体被写体Ｏとマスク板２１’とを使用して体積ホログラム（リップマンホログラム）を作製する場合の１段目のホログラム（以下、Ｈ１ホログラムと呼ぶ。）を作製する際の撮影配置を示す図である。Ｈ１ホログラム記録材料３１として、図１〜図５の実施例と同様にフォトポリマーに比べて感度が高い銀塩材料からなるホログラム記録材料３１を用い、まず、ホログラム記録材料３１に記録する立体被写体Ｏに面してそのホログラム記録材料３１を配置する。また、立体被写体Ｏの近傍（図６の場合は背後であるが、立体被写体Ｏの周囲のあるいは前方でもよい。）にマスク板２１’を配置する。このマスク板２１’は図１のマスク板２１とは透明、不透明部分が逆転しているもので、全体が不透明のフィルム（板部材）の文字や絵柄の付加情報２２’、この実施例の場合、立体被写体Ｏを取り囲む四隅の“Ｘ”、“Ｘ”、“Ｘ”、“Ｘ”部分が透明パターン領域となっている。
【００３０】
このような配置で、立体被写体Ｏを所定波長の照明光３２で照明して立体被写体Ｏからの散乱反射光を物体光３３としてホログラム記録材料３１に入射させると同時に、同一光源からの同じ波長の平行照明光３７でマスク板２１’を背後から照明して、立体被写体Ｏからの散乱反射光を物体光３３とし、また、マスク板２１’の付加情報２２’の透明パターン領域を通った平行透過光３８と共にホログラム記録材料３１に入射させる。平行透過光３８はホログラム記録材料３１上に付加情報２２’と同じ形の照明領域に入射する。物体光３３と平行透過光３８のホログラム記録材料３１への入射と共に、ホログラム記録材
料３１の同じ面に物体光３３及び平行透過光３８と可干渉な同一光源からの平行光からなる参照光３４をこれらと同時に入射させて干渉させることで、Ｈ１ホログラム記録材料３１に立体被写体Ｏのホログラムと共に、マスク板２１’の付加情報２２’に対応するホログラムミラーパターンを露光する。以上のようにＨ１ホログラムが露光されたホログラム記録材料３１を現像、漂白してＨ１ホログラム３１”を作製する。
【００３１】
次いで、図７に示すように、このＨ１ホログラム３１”に記録のときの参照光３４と反対に進む照明光３５を、Ｈ１ホログラム３１”記録時の参照光３４が入射する側とは反対側から入射させると、Ｈ１ホログラム３１”の面に対して記録のときの立体被写体Ｏの相対位置と同じ位置に回折光３６により立体被写体Ｏの再生像Ｏ’が再生結像される。同時に、マスク板２１’の付加情報２２’に対応するホログラムミラーパターン部分から平行透過光３８と同様な断面パターン（マスク板２１の付加情報２２’と同一パターン）を持った平行回折光３９が回折される。立体被写体Ｏの再生像Ｏ’が結像される位置近傍に体積ホログラム記録材料からなる２段目のホログラム（以下、Ｈ２ホログラムと呼ぶ。）記録材料４１を配置し、照明光３５と可干渉な同一光源からの平行光からなる参照光４２を回折光３６と反対側から所定の入射角θで同時に入射させ、ホログラム記録材料４１中に２段目のＨ２ホログラムを露光する。２段目のホログラム記録材料４１として、図１〜図５の実施例と同様にフォトポリマーを用いており、露光後のホログラム記録材料４１を後処理として加熱、紫外線照射を行い、Ｈ２ホログラム４１”を作製する。図７の工程を経て作製されたＨ２ホログラム４１”を立体被写体ホログラム原版４１”と呼ぶ。
【００３２】
図８は、図７の工程を経て作製された立体被写体ホログラム原版４１”を重ね合わせて真贋判定ホログラムを作製する際の撮影配置を示す図である。立体被写体Ｏと付加情報２２’に対応する形状（外形）のホログラムミラーパターンとが記録された立体被写体ホログラム原版４１”の上側に体積ホログラム記録材料５１を密着あるいは近接させて配置する。その状態で、体積ホログラム記録材料５１側から参照光４２の入射角と同一の入射角θで参照光４２と反対に進む照明光５２を照射して、立体被写体ホログラム原版４１”のホログラムミラーパターンから回折される平行回折光３９と反対に進む回折光と、立体被写体Ｏからの物体光３３と反対に進む回折光とを入射光の照明光５２と体積ホログラム記録材料５１中で干渉させて、後処理として加熱、紫外線照射を行い、本発明に基づく別の真贋判定ホログラムが完成する。
【００３３】
以上の何れの実施例においても、体積ホログラム記録材料５１中に形成されるホログラムミラーパターンの付加情報が見える位置はホログラム面上であるため、ホログラム面に対して立体被写体の再生像を上側に配置するのかあるいは下側に配置するのかによって、立体被写体の再生像に対する付加情報の位置が定まる。
【００３４】
次に、本発明の真贋判定ホログラムを作製するためのさらに別の実施例を説明する。図９は、透明フィルムに付加情報として文字や絵柄の情報が回折するよう刻まれた一定ピッチの回折格子パターン、例えば外形が星の絵柄で一定ピッチの回折格子パターン６２が刻まれた回折格子パターン原版６１を用意する。なお、回折格子パターン６２は、その表面にインデックスマッチング液が接しても回折する屈折率分布型のもの、あるいは、振幅型のものが望ましい。
【００３５】
そして、図１０に示すように、図５の場合と同様に、図２の工程を経て作製されたホログラムミラーパターン原版１１”と、上記の回折格子パターン原版６１と、図４の工程を経て作製された立体被写体ホログラム原版４１’とをインデックスマッチング液を介在させて重ね合わせて、その上側に体積ホログラム記録材料５１を密着あるいは近接させて配置する。その際、図２での参照光２５を入射させる方向の方位角方向と図４の参照光４２を入射させる方向の方位角方向が一致するように位置合わせし、また、回折格子パターン
原版６１の回折格子パターン６２の回折格子がその方位角方向に略直交するように重ね合わせることが望ましい。原版１１”、６１、４１’の重ね合わせ順序は任意でよい（図の場合は、上から順に、原版１１”、原版６１、原版４１’の順）。この状態で、体積ホログラム記録材料５１側から、参照光２５、参照光４２の入射角と同一の入射角θで参照光２５、参照光４２と反対に進む照明光５２を照射して、ホログラムミラーパターン原版１１”から回折される照明光２６と反対に進む回折光と、回折格子パターン６２で回折された回折光と、立体被写体ホログラム原版４１’から回折される物体光３３と反対に進む回折光とを入射光の照明光５２と体積ホログラム記録材料５１中で干渉させて、後処理として加熱、紫外線照射を行い、本発明に基づくもう１つの真贋判定ホログラムが完成する。
【００３６】
この真贋判定ホログラムの場合は、立体被写体Ｏの像を上下左右の広い視域で観察可能なものであり、それに加えて、図２のホログラムミラーパターン原版１１”と同様に、付加情報２２に対応する“Ｘ”、“Ｘ”、“Ｘ”、“Ｘ”の文字部分のみに平面の干渉縞が相互に厚さ方向に一定間隔で平行に並んで構成されたホログラムミラーが記録され、そのホログラムミラーの外縁が文字パターンを形成しており、加えて、付加情報６２に対応する星の絵柄部分のみに平面の干渉縞が相互に厚さ方向に一定間隔で平行に並んで構成されたホログラムミラーが記録され、そのホログラムミラーの外縁が星の絵柄パターンを形成しているものである。これらのホログラムミラーパターンは、外光で照明したとき、所定方向にのみに外光を回折により強く反射するものであり、このホログラムミラーパターンの視域は立体被写体Ｏの視域に比べて狭く、その代わりに、立体被写体Ｏの再生像に比べて輝度はずっと大きなものとなる。そのため、照明光の下で本発明の真贋判定ホログラムを連続的に傾けて行くと、ある位置、すなわち、ホログラムミラーパターンが観察者に対して所定の方向になった位置で一瞬明るくキラリと光り、次の傾き角では最早反射条件を満足しないため、立体被写体Ｏの像しか見えないものとなる。
【００３７】
そのため、本発明によるこの真贋判定ホログラムも、再生される立体被写体の像を観察しつつ傾き角を連続的に変えることで、一瞬明るく所定の付加情報パターンがホログラム面に見えるか否かで、誰でも容易に真贋判定を行うことができる。
【００３８】
なお、図１０の配置において、図７の工程を経て作製された立体被写体ホログラム原版４１”をホログラムミラーパターン原版１１”と立体被写体ホログラム原版４１’の代わりに用いても、同様の真贋判定ホログラムが得られる。
【００３９】
ところで、図１０の配置において、ホログラムミラーパターン原版１１”を省いて回折格子パターン原版６１と立体被写体ホログラム原版４１’とを重ね合わせて、その上側に体積ホログラム記録材料５１を密着あるいは近接させて配置して複製することで、星の絵柄の付加情報のみが記録された真贋判定ホログラムとしてもよい。
【００４０】
なお、以上は単色で真贋判定ホログラムを作製するものとしたが、各工程で異なる２波長以上で同時にあるいは別々に照明して複数の波長で記録、複製することで最終製品の真贋判定ホログラムをカラー化することもできる。
【００４１】
ただし、異なる複数の波長で回折格子パターン原版６１を図１０の配置で複製する場合、一定の入射角の照明光５２に対して回折光の回折角は波長毎に異なるので、体積ホログラム記録材料５１中に形成される星の絵柄パターンをした各回折波長に基づくホログラムミラーの平面の干渉縞の傾き角は波長毎に異なるものとなる。そのため、照明光の下でその真贋判定ホログラムを連続的に傾けて行くと、広い視域で立体被写体Ｏの像をカラー像として観察できる反面、１つの波長に基づくホログラムミラーパターンが観察者に対して所定方向になった位置でその波長の付加情報パターンとしてそのホログラムミラーパターンが一瞬明るく光り、さらに別の位置で別の波長の付加情報パターンとして別のホログラ
ムミラーパターンが一瞬明るく光る。すなわち、ホログラムミラーパターンの視域が波長毎に異なって狭い範囲で観察されることになる。
【００４２】
図１１は例示として図１０のような作製方法により作製した真贋判定ホログラムに対して、再生照明光の入射角度を上下方向に変化させて正面から観察した場合の各再生像の輝度を示す図である（それぞれの輝度はピ−ク値を１に規格化してある。）。再生照明光を所定の入射角度で入射させて観察角度を上下方向に変化させた場合も同様になる。また、左右方向についても同様である。
【００４３】
図１２は、図１１の場合にホログラムミラーパターン原版由来のホログラムミラー、立体被写体、回折格子パターン原版由来のホログラムミラーそれぞれの輝度Ｙを規格化せずに対比して示す図である。
【００４４】
この図１１、図１２より、ホログラムミラーパターン原版由来のホログラムミラーのパターンが観察される角度範囲（視域）と回折格子パターン原版由来のホログラムミラーのパターンが観察される角度範囲（視域）は立体被写体の再生像が観察される角度範囲（視域）に比べて大幅に狭いが、ホログラムミラーパターン原版由来のホログラムミラーのパターンの輝度が最も高く、次いで回折格子パターン原版由来のホログラムミラーのパターンの輝度が高く、立体被写体の再生像の輝度に比べて両者は大幅に高いことが分かる。そのため、本発明の方法により作製されたホログラムにおいては、付加情報を特定の角度においてのみ高輝度で観察することができ、どの情報が付加情報に相当するのかが分かりやすく誰でも容易に真贋判定を行うことができることがよく分かる。
【００４５】
ところで、以上のホログラムミラーパターン原版由来のホログラムミラーのパターン、回折格子パターン原版由来のホログラムミラーのパターンそれぞれが立体被写体の再生像に対して目視で識別できるためには、ホログラムミラーパターン原版由来、回折格子パターン原版由来何れものホログラムミラーのパターンの輝度と、立体被写体の再生像の輝度との間で、次の条件式（１）を満足するように構成されていればよい。
【００４６】
｛（ホログラムミラーパターンの輝度）
−（立体被写体再生像の輝度）｝／（輝度差弁別閾）≧１
・・・（１）
ここで、輝度差弁別閾とは、例えば特許文献２の図４のΔＬmin(Ｌeq) で与えられもので、図１３の曲線で表される。
【００４７】
図１４は上記図１２の場合に上記条件式（１）を満足する範囲を示す図であり、ホログラムミラーパターン原版由来のホログラムミラーのパターン、回折格子パターン原版由来のホログラムミラーのパターン何れもが、立体被写体の再生像に対して目視で識別できることが分かる。
【００４８】
以上、本発明の真贋判定ホログラム及びその作製方法を実施例に基づいて説明してきたが、本発明はこれら実施例に限定されず種々の変形が可能である。また、本発明の以上の説明では、被写体については立体被写体を用いものとして説明してきたが、当然平面の拡散物体を被写体として用いてもよい。
【産業上の利用可能性】
【００４９】
本発明の真贋判定ホログラムによると、従来の真贋判定ホログラムに比べて、リップマンホログラムの上下左右に視域があるという特性を活かしつつ、特定の角度でのみ付加情報を観察することができ、どの情報が付加情報に相当するのかが分かりやすく、誰でも容易に真贋判定を行うことができる。
【符号の説明】
【００５０】
Ｏ…立体被写体
Ｏ’…立体被写体Ｏの再生像
１１…第１の体積ホログラム記録材料
１１’…パターン部分以外の領域を不活性にした第１の体積ホログラム記録材料
１１”…ホログラムミラーパターン原版
２１…マスク板
２１’…マスク板
２２…付加情報
２２’…付加情報
２３…紫外線
２５…参照光
２６…照明光
３１…ホログラム記録材料
３１’…Ｈ１ホログラム
３１”…Ｈ１ホログラム
３２…照明光
３３…物体光（散乱反射光）
３４…参照光
３５…照明光
３６…回折光
３７…平行照明光
３８…平行透過光
３９…平行回折光
４１…２段目のホログラム記録材料
４１’…Ｈ２ホログラム（立体被写体ホログラム原版）
４１”…Ｈ２ホログラム（立体被写体ホログラム原版）
４２…参照光
５１…体積ホログラム記録材料
５２…照明光
６１…回折格子パターン原版
６２…回折格子パターン
【図１】
2011076076.tif 000003
【図２】
2011076076.tif 000004
【図３】
2011076076.tif 000005
【図４】
2011076076.tif 000006
【図５】
2011076076.tif 000007
【図６】
2011076076.tif 000008
【図７】
2011076076.tif 000009
【図８】
2011076076.tif 000010
【図９】
2011076076.tif 000011
【図１０】
2011076076.tif 000012
【図１１】
2011076076.tif 000013
【図１２】
2011076076.tif 000014
【図１３】
2011076076.tif 000015
【図１４】
2011076076.tif 000016